(57)【要約】第一連続ウェブ（１０３）および第二連続ウェブ（１０４）からそれぞれ得られる第一タブ（１００）および第二タブ（１０１）をシャーシウェブ（１０２）に貼り付けるためのユニット（１）は、本体（３）と、回転軸（Ｒ２）に近い降下位置と回転軸（Ｒ２）から離れた上昇位置との間で移動可能であるそれぞれが少なくとも一つの吸引部（７，８）を備えている複数のキャリア（４，５）と、を備える回転軸（Ｒ２）回りに回転可能な貼り付けドラム（２）を備える。第一キャリア（４）は、回転軸（Ｒ２）に沿って並んで配置される第一吸引部（７）および第一非吸引部（９）を備える。第一キャリア（４）に続く第二キャリア（５）は、回転軸（Ｒ２）に沿って並んで配置される第二吸引部（８）および第二非吸引部（１０）を備える。第一吸引部（７）は第二非吸引部（１０）と交互に配置される。第一非吸引部（９）は第二吸引部（８）と交互に配置される。ユニットは、それぞれが第一キャリア（４）と第二キャリア（５）との間に配置される複数のアンビル（１１）を備える。ユニット（１）は、貼り付けドラム（２）に第一ウェブ（１０４）を押さえるために、第一ウェブおよび第二ウェブを切断するための切断装置（１２）の上流側に配置される第一システム（２２）と、貼り付けドラム（２）に第二ウェブを押さえるために、切断装置（１２）の上流側に配置される第二システム（２３）と、を備える。【選択図】図１
2018534986.tif 000002
【特許請求の範囲】
【請求項１】
第一ウェブ（１０３）および第二ウェブ（１０４）からそれぞれ得られる第一タブ（１００）および第二タブ（１０１）を形成し間隔を空けて配置するためのユニットであって、
形成・定間隔配置ドラム（２）であって、回転軸（Ｒ２）回りの回転中に該形成・定間隔配置ドラム（２）の外側面に沿って並置状態で配置される前記第一ウェブ（１０３）および前記第二ウェブ（１０４）を移動させるよう設計されている形成・定間隔配置ドラム（２）であり、前記形成・定間隔配置ドラム（２）は、前記外側面に沿って分配配置される複数のキャリア（４，５）を有しており、それぞれのキャリア（４，５）が、前記回転軸（Ｒ２）と平行な配列方向に沿って並んで配置される、前記ウェブを保持するための吸引手段が配置される能動部（７，８）および吸引手段がない受動部（９，１０）を備えている形成・定間隔配置ドラム（２）と、
前記形成・定間隔配置ドラム（２）に前記第一ウェブ（１０３）および前記第二ウェブ（１０４）を供給するよう、前記形成・定間隔配置ドラム（２）の上流側に装着される前記第一ウェブ（１０３）および前記第二ウェブ（１０４）の供給手段（１６，１７）と、
前記第一ウェブ（１０３）および前記第二ウェブ（１０４）から前記第一タブ（１００）および第二タブ（１０１）を交互に順にそれぞれ切断するよう、前記形成・定間隔配置ドラム（２）とともに動作する構成に配置される切断手段（１１，１２，１３，１４，１５）と、
を備えており、
前記回転軸（Ｒ２）回りの前記ドラムの回転中に前記第一ウェブ（１０３）または前記第二ウェブ（１０４）が移動する前記外側面のある範囲に沿って能動部（７，８）と受動部（９，１０）とが交互に入れ替わっているよう、二つの連続するキャリア（４，５）の前記能動部および前記受動部の位置は、前記配列方向に沿って互いに逆となる形成・定間隔配置ユニット。
【請求項２】
請求項１に記載の形成・定間隔配置ユニットであって、
前記切断手段（１１，１２，１３，１４，１５）の上流側に装着されるとともに、前記切断手段（１１，１２，１３，１４，１５）に前記第一ウェブ（１０３）および前記第二ウェブ（１０４）を供給するための供給通過部を構成するよう、前記形成・定間隔配置ドラム（２）の前記外側面に対向する、前記第一ウェブおよび前記第二ウェブを押さえ付けるための保持システム（２２，２３）を備えており、
前記形成・定間隔配置ドラム（２）の前記回転中に、前記第一ウェブ（１０３）および前記第二ウェブ（１０４）が前記受動部（９，１０）上にあって前記切断手段（１１，１２，１３，１４，１５）に配置された場合に、前記第一ウェブ（１０３）および前記第二ウェブ（１０４）を交互に押さえ付けるよう、前記保持システム（２２，２３）は前記形成・定間隔配置ドラム（２）に機能的に接続される形成・定間隔配置ユニット。
【請求項３】
請求項１または２に記載の形成・定間隔配置ユニットであって、
前記供給手段（１６，１７）は、前記第一ウェブ（１０３）と前記第二ウェブ（１０４）を前記形成・定間隔配置ドラム（２）に連続的に供給するための少なくとも一つの供給装置（１８）と、前記供給装置（１８）と前記形成・定間隔配置ドラム（２）との間に配置される緩衝システム（２０，２１）と、を備えており、
前記緩衝システム（２０，２１）は、前記切断手段（１１，１２，１３，１４，１５）が動作構成に配置されている間、断続的に供給するよう構成されている、前記第一ウェブ（１０３）のための第一緩衝装置（２０）および前記第二ウェブ（１０４）のための第二緩衝装置（２１）を備える形成・定間隔配置ユニット。
【請求項４】
請求項３に記載の形成・定間隔配置ユニットであって、
前記第一ウェブ（１０３）および前記第二ウェブ（１０４）が前記形成・定間隔配置ドラム（２）に供給される供給位置と、前記形成・定間隔配置ドラム（２）への供給を中断するよう前記第一ウェブ（１０３）および前記第二ウェブ（１０４）が前記第一緩衝装置（２０）および前記第二緩衝装置（２１）にそれぞれ収容される収容位置と、の間で前記第一緩衝装置（２０）および前記第二緩衝装置（２１）は移動可能であり、
前記第一緩衝装置（２０）および前記第二緩衝装置（２１）は、前記供給位置と前記収容位置との間で一方から他方へ、他方から一方へと交互に移動して、前記第一緩衝装置（２０）または前記第二緩衝装置（２１）がこれらの位置のうちの一方にある場合、他方の緩衝装置（２０，２１）はそれとは逆の位置となる形成・定間隔配置ユニット。
【請求項５】
請求項２に記載かつ請求項３または４に記載の形成・定間隔配置ユニットであって、交互に保持すべき前記第一ウェブ（１０３）および前記第二ウェブ（１０４）の対応するそれぞれの前記受動部が前記切断手段（１１，１２，１３，１４，１５）の上流側および前記切断手段（１１，１２，１３，１４，１５）に位置している場合に、前記保持システム（２２，２３）が前記形成・定間隔配置ドラム（２）と同期して、前記第一ウェブ（１０３）および前記第二ウェブ（１０４）を交互に保持し、対応するそれぞれの前記第一緩衝装置（２０）または前記第二緩衝装置（２１）は前記供給位置と前記収容位置との間で移動する形成・定間隔配置ユニット。
【請求項６】
請求項１〜５の一以上に記載の形成・定間隔配置ユニットであって、
前記形成・定間隔配置ドラム（２）は、それぞれが二つの連続するキャリア（４，５）間に配置される複数のアンビル（１１）を有しており、
前記第一ウェブ（１０３）および前記第二ウェブ（１０４）から前記第一タブ（１００）および第二タブ（１０１）を交互に順にそれぞれ切断するために、前記切断手段（１１，１２，１３，１４，１５）は前記アンビル（１１）と接触する動作構成へと移動するよう構成されている形成・定間隔配置ユニット。
【請求項７】
請求項１〜５の一以上に記載の形成・定間隔配置ユニットであって、
前記形成・定間隔配置ドラムは、それぞれが二つの連続するキャリア（４，５）間に配置される複数の対向する刃を有しており、
前記第一ウェブ（１０３）および前記第二ウェブ（１０４）から前記第一タブ（１００）および第二タブ（１０１）を交互に順にそれぞれ切断するために、前記切断手段（１１，１２，１３，１４，１５）は前記対向する刃と接触する動作構成へと移動するよう構成されている形成・定間隔配置ユニット。
【請求項８】
請求項６または７に記載の形成・定間隔配置ユニットであって、
前記切断手段（１１，１２，１３，１４，１５）は、前記形成・定間隔配置ドラム（２）の前記回転軸（Ｒ２）と平行な回転軸（Ｒ１５）回りに回転する回転切断ローラ（１５）を備えており、前記切断ドラム（１５）は、前記第一ウェブ（１０３）を切断するための少なくとも一つの第一刃（１３）と、前記第二ウェブ（１０４）を切断するための少なくとも一つの第二刃（１４）と、を備えており、
前記第一刃（１３）および前記第二刃（１４）は、前記配列方向において、切断される前記対応する第一ウェブ（１３０）または第二ウェブ（１０４）の横方向延設に少なくとも対応するある範囲にわたって延設されるとともに、前記動作構成において前記対向する刃と前記アンビル（１１）とに交互に連続的に接触するよう移動するように、前記切断ドラム（１５）の前記外側面に沿ってオフセットされている形成・定間隔配置ユニット。
【請求項９】
請求項１〜５の一以上に記載の形成・定間隔配置ユニットであって、
前記形成・定間隔配置ドラム（２）は、それぞれが二つの連続するキャリア（４，５）間に配置される複数の受け部を有しており、
レーザビームによって、前記第一ウェブ（１０３）および前記第二ウェブ（１０４）から前記第一タブ（１００）および第二タブ（１０１）を交互に順にそれぞれ切断するために、前記切断手段（１１，１２，１３，１４，１５）は、前記受け部における動作構成へと移動するよう構成されるレーザ切断手段を備える形成・定間隔配置ユニット。
【請求項１０】
請求項１〜９の一以上に記載の形成・定間隔配置ユニットであって、前記切断手段（１１，１２，１３，１４，１５）において切断可能な切断位置と、前記形成・定間隔配置ドラム（２）の前記回転軸（Ｒ２）から前記キャリア（４，５）の前記外側面の距離が前記切断位置における当該距離より大きい載置位置と、の間で、前記キャリア（４，５）は前記形成・定間隔配置ドラム（２）の前記回転軸（Ｒ２）に対して径方向に移動可能である形成・定間隔配置ユニット。
【発明の詳細な説明】
【技術分野】
【０００１】
本発明は、以降では一般性を失うことなく特定の参照を行う特におむつ等の吸収性衛生用品を製造する機械のために構成される、タブをシャーシウェブに貼り付けるためのユニットに関する。
【背景技術】
【０００２】
一ピースの複合ウェブとして一般に定義され主延設方向を有する本体を備える吸収性衛生用品が知られている。
【０００３】
商品の本体は、フロント側端部部分（以下では業界の専門用語として単に「フロント」ともいい、これが意味するのは、着用者の体の前側部分を覆うことにある）と、バック側端部部分（以下では業界の専門用語として単に「バック」ともいい、これが意味するのは、着用者の体の後ろ側部分を覆うことにある）と、を備える。
【０００４】
従来技術吸収用品は、必要な場合フロント側端部部分の両側から延設される二つ以上の接続パートで構成できる一ペアの側部ウィングと、必要な場合バック側端部部分の両側から延設される二つ以上の接続パートで構成できる一ペアの側部ウィングと、を備える。
【０００５】
バック側ウィングには一般に、ユーザの腰回りに商品を固定するために対応するフロント側ウィングと係合することができる固定要素すなわち連結要素（通例「タブ」という）が配置される。
【０００６】
概して言えば、したがって、バック側ウィングはそれぞれ、例えばパネルと、パネルに接続されるとともにパネルから突出して使用時にはおむつの対応するフロント側ウィングに取り付けることができる対応するタブと、から構成される。
【０００７】
知られているように、バック側ウィングは、おむつ生産の際に、それぞれのピースへと切断される連続的なシャーシウェブから得られる。
【０００８】
その後、ピースは、本体に、またはより一般には、組み立ての際に、供給経路に沿って移動するとき、本体を構成する複合ウェブの一の層に取り付けられる。
【０００９】
連続的なウェブすなわちシャーシウェブがそれぞれのピースへと切断される前に、固定要素が適切な間隔で貼り付けられる。
【００１０】
一般的に、右タブと左タブは、ユーザが着用するときのおむつの上のそれらの位置を考慮して、それぞれのピースへと切断される二つの別々のウェブから得られる。
【００１１】
貼り付けドラムは、バキュームパッドによって押さえ付けられる二つのウェブを供給する。二つのウェブは、それぞれのピースへと切断された後には、当該バキュームパッドによってシャーシウェブ上に配置される。
【００１２】
通常、二つのウェブは交互に供給され切断される。このように、一方のウェブが前進している間、他方は静止した状態にあり、真下を通過するバキュームパッドによって定位置に保持される。
【００１３】
固定要素を得るためのウェブは、ウェブがバキュームパッドを用いて貼り付けドラムによって定位置に保持される切断ステーションに供給される。切断ステーションの下流側において、それぞれのピースがシャーシウェブへと供給される。
【００１４】
貼り付けドラムの回転速度は、シャーシウェブの供給速度によって、つまりシャーシウェブから得られる本体の長手方向寸法によって、設定される。
【００１５】
固定要素を得るためのウェブの供給速度は、ウェブ自体の供給方向を考慮して、タブの長手方向の延設によって決定され、貼り付けドラムの回転速度未満である。
【００１６】
ウェブがドラムによって保持されるときそして個々のタブへ切断される前に、ウェブは張力を受け、そのため、対応するバキュームパッド上の固定要素の望ましくない移動が生じる場合がある。
【００１７】
こうした移動によって、ウェブのピースがバキュームパッド上で誤った場所に置かれ、その結果、シャーシウェブ上において不適切な構成で貼り付けられる。
【００１８】
この問題は、形成されたタブが完成したおむつにおいて不適切な場所にあることが受け容れ難い場合には、特に強く感じられる。
【発明の概要】
【００１９】
したがって、本発明の主な目的は、上述した欠点を克服する、連続的なウェブにタブを貼り付けるためのユニットを提案することにある。
【００２０】
本発明の意図は、タブをシャーシウェブに精密に配置できる、シャーシウェブにタブを貼り付けるためのユニットを提供することにある。
【００２１】
特定した技術的な目的および意図は、請求項１に記載の、シャーシウェブにタブを貼り付けるためのユニットによって十分に達成される。
【図面の簡単な説明】
【００２２】
本発明のさらなる特徴および利点は、以下の添付図面に例示するシャーシウェブにタブを貼り付けるためのユニットの好ましいがそれのみに制限されない実施形態に関する、限定するものではない以下の説明からより明瞭となろう。
【図１】一部をブロックで、そして分かりやすくするためにいくつかの部品を切除した、図２の構成に略対応する概略的斜視図で、概略的な一連の動作工程におけるタブを貼り付けるためのユニットを示す。
【図２】一部をブロックで、そして分かりやすくするためにいくつかの部品を切除した概略的斜視図で、概略的な一連の動作工程におけるタブを貼り付けるためのユニットを示す。
【図３】一部をブロックで、そして分かりやすくするためにいくつかの部品を切除した、図２の構成に略対応する概略的斜視図で、概略的な一連の動作工程におけるタブを貼り付けるためのユニットを示す。
【図４】一部をブロックで、そして分かりやすくするためにいくつかの部品を切除した、図２の構成に略対応する概略的斜視図で、概略的な一連の動作工程におけるタブを貼り付けるためのユニットを示す。
【図５】いくつかの部品をブロックで、そして分かりやすくするために他の部品を切除した、先の図面の貼り付けユニットの概略的側面図である。
【発明を実施するための形態】
【００２３】
添付図面を参照して、参照符号１は、本発明にかかる対応するそれぞれのウェブからタブを形成し間隔を空けて配置するための形成・定間隔配置ユニットを示す。形成・定間隔配置ユニットは、以降の説明からより明瞭となろう。
【００２４】
例示の好ましい実施形態において、またユニット１は、本発明にかかるシャーシウェブにタブを貼り付けるよう設計される。
【００２５】
また、簡単化のため、本発明の好ましい例示的実施形態としてタブを貼り付けるためのユニットのみを説明する。
【００２６】
一般的に言えば、上述の通り、本発明は、第一ウェブおよび第二ウェブからそれぞれ得られる第一タブおよび第二タブを形成し間隔を空けて配置するためのユニットに関する。
【００２７】
ユニット１は、特に、方向Ｖ１０２に前方に移動するシャーシウェブ１０２に第一タブ１００および第二タブ１０１を貼り付けるよう設計されている。
【００２８】
以降の説明からより明瞭となる通り、第一タブ１００は第一連続ウェブ１０３から得られ、第二タブ１０１は第二連続ウェブ１０４から得られる。
【００２９】
ユニット１は、以降では一般性を失うことなく特定の参照を行うおむつなどの吸収性衛生用品を形成するための機械のために好ましくは構成される。
【００３０】
それぞれのおむつは、フロント側端部部分（以下では業界の専門用語として単に「フロント」といい、これが意味するのは、着用者の体の前側部分を覆うことにある）と、バック側端部部分（以下では業界の専門用語として単に「バック」といい、これが意味するのは、着用者の体の後ろ側部分を覆うことにある）と、を備える。
【００３１】
既知のタイプの技術吸収用品は、必要な場合フロント側端部部分の両側から延設される二つ以上の接続パートで構成できる一ペアの側部ウィングと、必要な場合バック側端部部分の両側から延設される二つ以上の接続パートで構成できる一ペアの側部ウィングと、を備える。
【００３２】
バック側ウィングには一般に、ユーザの腰回りに商品を固定するために対応するフロント側ウィングと係合することができる固定要素すなわち連結要素（通例「タブ」という）が配置される。
【００３３】
本発明によれば、タブ１００，１０１がシャーシウェブ１０２に貼り付けられた後に、シャーシウェブ１０２がピースへと切断されることによって、ユニット１は、ここでは説明しないが、既知の方法で得られるバック側ウィングを形成するよう、設計されている。
【００３４】
以降の説明からより明瞭となる通り、貼り付けユニット１は、好ましくは切断により互いから分離される前に、おむつのバック側ウィングのタブを切断し、取り上げ、移送し、間隔を空けて配置し、そして転送することができる。
【００３５】
一般的に言えば、バック側ウィングを形成するパネルには二つの平行な側部がある。第一側部は、おむつの本体に接続されるよう設計されており、そして、第一側部とは反対側の第二側部は、固定要素を受けるよう、実際には、おむつが着用されるときに対応するフロント側ウィングと係合するよう、設計されている。
【００３６】
固定要素すなわちタブ１００，１０１は、添付図面に示すパターン基づいてシャーシウェブ１０２上に第一側部および第二側部に交互に連続して貼り付けられる。このタブ位置決め構成はよく、断続的オフセット構成ともいわれる。
【００３７】
ユニット１は、タブを形成し間隔を空けて配置するための、回転方向Ｖ２に回転軸Ｒ２回りに回転可能なドラム２を備える。
【００３８】
上述の通り、ドラム２もシャーシウェブにタブを貼り付けるよう設計されている。
【００３９】
ドラム２は、本体３と、複数の第一可動キャリア４および第二可動キャリア５と、を備える。複数の第一可動キャリア４および第二可動キャリア５は、好ましくは、本体３の外側面に沿って角度を空けて互いに交互に配置される。図示する通り、それぞれの第二キャリア５は、対応するそれぞれの第一キャリア４に、回転方向Ｖ２に連続して後に続いている。
【００４０】
形成・定間隔配置ドラム２は、回転軸Ｒ２回りの回転中にそのドラム２自体の外側面に沿って並置状態で配置される第一ウェブ１０３および第二ウェブ１０４を移動させるよう設計されている。
【００４１】
第一ウェブ１０３および第二ウェブ１０４かつ／または第一タブ１００および第二タブ１０１を供給しそれらをシャーシウェブ１０２上に貼り付けるために、キャリア４，５（業界の専門用語において「バキュームパッド」ともいう）は、好ましくは、回転軸Ｒ２に近い降下位置と回転軸Ｒ２から離れた上昇位置との間で移動可能である。
【００４２】
ユニット１は、ブロック６として概略的に示す、キャリア４，５を降下位置から上昇位置にそして上昇位置から降下位置に移動させるためのシステムを備える。
【００４３】
実際に、配列配置点Ｐ２（この場合例えば取り出し／切断点Ｐ１の後方１８０°に位置する）において必要な間隔を空けるために、バキュームパッド４，５は、好ましくは単一のリフト・カム（図示せず）を用いて、より高い径方向のレベルに平行移動で次第に移動され、そしてその後、対応するタブ１００，１０１がシャーシウェブ１０２に配列配置された後、次のタブを取り出すために降下位置へ戻され、そこからバック側ウィングが次に切断されることになる。
【００４４】
それぞれのキャリア４は、第一連続ウェブ１０３およびそのウェブ１０３から切断された後の第一タブ１００を吸引して受ける吸引受け部７を備える。
【００４５】
それぞれのキャリア５は、第二連続ウェブ１０４およびそのウェブ１０４から切断された後の第二タブ１０１を吸引して受ける吸引受け部８を備える。
【００４６】
それぞれの第一キャリア４は、対応するそれぞれの吸引受け部７を構成する第一吸引部すなわち第一能動部と、第一非吸引部すなわち第一受動部９と、を備える。第一吸引部と第一非吸引部とは、回転軸Ｒ２に沿って並んで配置されている。
【００４７】
それぞれの第二キャリア５は、対応するそれぞれの吸引受け部８を構成する第二吸引部すなわち第二能動部と、第二非吸引部すなわち第二受動部１０と、を備える。第二非吸引部と第二吸引部とは、回転軸Ｒ２に沿って並んで配置されている。
【００４８】
実際には、能動部は、ウェブを保持するための吸引手段を有するが、受動部にはそれがない。
【００４９】
以下では、第一吸引受け部と第一吸引部とは参照符号７によって区別することなく示し、第二吸引受け部と第二吸引部とは参照符号８によって区別することなく示す。
【００５０】
それぞれの第一キャリア４は、吸引を除いて同じである吸引部７と非吸引部９とに好ましくは軸方向に分割される。
【００５１】
それぞれの第二キャリア５は、吸引を除いて同じである吸引部８と非吸引部１０とに好ましくは軸方向に分割される。
【００５２】
ドラム２に注目して、ドラム２自体の外面に沿って、キャリア４の第一吸引部７はキャリア５の第二非吸引部１０と交互に配置され、そして第一非吸引部９は第二吸引部８と交互に配置される。
【００５３】
言い換えれば、ドラム２の回転中に、第一ウェブ１０３または第二ウェブ１０４が移動する外側面のある範囲に沿って能動部７，８と受動部９，１０とが交互に入れ替わっているよう、二つの連続するキャリア４，５の能動部および受動部の位置は、軸Ｒ２と平行な配列方向に沿って互いに逆となっている。
【００５４】
好ましくは、バキュームパッド４，５は中空であり、実際に、ドラム２の半分がユニット１自体の駆動側ＤＳに向かっており半分がオペレータ側ＯＳに向かっている対応するそれぞれの受け部７，８におけるタブ１００，１０１を交互に移送するのに必要な真空を生成することができる。
【００５５】
形成・定間隔配置ユニットは、形成・定間隔配置ドラム２とともに、第一ウェブ１０３および第二ウェブ１０４から第一タブ１００および第二タブ１０１を交互に順にそれぞれ切断する、動作構成に配置される切断手段を備える。
【００５６】
図示する好ましい実施形態において、ユニット１は、本体３に装着されるとともに、連続する第一キャリア４および第二キャリア５との間で配置される、すなわち、可動キャリア４，５と交互に配置される複数のアンビル１１を備える。
【００５７】
例えば金属インサートによって構成されるアンビル１１は、好ましくは、キャリア４，５の全軸方向長にわたって延設される。
【００５８】
形成・定間隔配置ドラム２は、それぞれが二つの連続するキャリア４，５間に配置されるアンビル１１を有する。第一ウェブ１０３と第二ウェブ１０４から第一タブ１００および第二タブ１０１を交互にそれぞれ切断するために、切断手段を、アンビル１１と接触する動作構成に配置するよう構成することができる。
【００５９】
ユニット１は、貼り付けドラム２において動作するとともに、アンビル１１と協働して第一連続ウェブ１０３を第一タブ１００へとそして第二連続ウェブ１０４を第二タブ１０１へと切断する切断装置１２を備える。
【００６０】
切断装置１２は、第一ウェブ１０３を切断するための複数の第一刃１３を、図示の実施例においては二つの第一刃１３を、第二ウェブ１０４を切断するための複数の第二刃１４を、図示の実施例においては二つの第二刃１４を、備えている。
【００６１】
切断装置１２は、刃１３，１４が装着され、軸Ｒ２と平行な軸Ｒ１５回りに方向Ｖ１５に回転可能である切断ローラ１５を備える。
【００６２】
刃１３は、ウェブ１０３の第一供給経路Ｐ１０３に沿って動作する。また、刃１４は、ウェブ１０４の第二供給経路Ｐ１０４に沿って動作する。
【００６３】
以下により詳細に説明する通り、使用時において、刃１３，１４は交互に、連続するアンビル１１と協働してウェブ１０３，１０４を切断する。
【００６４】
より具体的には、刃１３は、好ましくは、二つのアンビル１１毎にウェブ１０３を切断するよう、すなわち、一つのアンビル１１をスキップするよう、ドラム２の円周に沿って測定される真空パッド４，５の長さの二倍に相当する間隔で、ローラ１５上に間隔を空けて配置される。
【００６５】
同様に、刃１４は、好ましくは、二つのアンビル１１毎にウェブ１０４を切断するよう、すなわち、一つのアンビル１１をスキップするよう、ドラム２の円周に沿って測定される真空パッド４，５の長さの二倍に相当する間隔で、ローラ１５上に間隔を空けて配置される。
【００６６】
実際には、機械１は、駆動側ＤＳおよびオペレータ側ＯＳのアンビル１１と交互に連結される、マルチブレード・ナイフ１３，１４，１５を備える。
【００６７】
他の実施形態（図示せず）において、形成・定間隔配置ドラム２は、それぞれが二つの連続するキャリア４，５の間に配置される複数の対向する刃を有する。
【００６８】
「鋏のような」切断法で、第一ウェブ１０３と第二ウェブ１０４から第一タブ１００および第二タブ１０１を交互に順にそれぞれ切断するために、切断手段を、対向する刃と接触する動作構成に配置するよう構成することができる。
【００６９】
他の実施形態（図示せず）において、形成・定間隔配置ドラム２は、それぞれが二つの連続するキャリア４，５間に配置される複数の受け部を有しており、レーザビームによって、第一ウェブ１０３および第二ウェブ１０４から第一タブ１００および第二タブ１０１を交互に順にそれぞれ切断するために、切断手段は、受け部における動作構成へと移動するよう構成されるレーザ切断手段を備える。
【００７０】
ユニット１は、形成・定間隔配置ドラム２に第一ウェブ１０３および第二ウェブ１０４を供給するよう、形成・定間隔配置ドラム２の上流側に装着される第一ウェブ１０３および第二ウェブ１０４の供給手段を備える。
【００７１】
より具体的には、ユニット１は、ドラム２にウェブ１０３を供給するための第一システム１６と、ドラム２にウェブ１０４を供給するための第二システム１７と、を備える。第一システムおよび第二システムの両方は、図２、図３および図４にブロックとして概略的に示す。
【００７２】
システム１６，１７は、対応するそれぞれのウェブ１０３，１０４をドラム２および／または切断装置１２に断続的に供給する。
【００７３】
システム１６は、ドラム２に第一ウェブ１０３を供給するためのよく知られているタイプの連続供給器１８と、ドラム２に第二ウェブ１０４を供給するためのよく知られているタイプの連続供給器１９と、を備える。
【００７４】
他の実施形態において、ユニット１は、ウェブ１０３，１０４の両方に対して単一の連続供給装置を備える。
【００７５】
ユニット１は、よく知られているタイプであり本発明を理解するのに役立つ範囲でのみ説明する、切断装置１２に第一連続ウェブ１０３を断続的に供給するために供給器１８とドラム２との間に配置される第一緩衝装置２０を備える。
【００７６】
実際には、図５を参照して、切断装置１２へのウェブ１０３の供給を停止する必要がある場合、ウェブは、緩衝システム２０に、例えばローラ２０ａを下げることにより、供給される。
【００７７】
ユニット１は、よく知られているタイプであり本発明を理解するのに役立つ範囲でのみ説明する、切断装置１２に第二連続ウェブ１０４を断続的に供給するために供給器１９とドラム２との間に配置される第二緩衝装置２１を備える。
【００７８】
実際には、図５を参照して、切断装置１２へのウェブ１０４の供給を停止する必要がある場合、ウェブは、緩衝システム２１に、例えばローラ２１ａを下げることにより、供給される。
【００７９】
例えば図示の構成において、対応する緩衝システム２１にウェブ１０４が供給されている間に、ウェブ１０３が装置１２に供給されている。
【００８０】
実際には、ウェブ１０２自体が連続的に供給されるので、ウェブ１０３およびウェブ１０４の両方がドラム２に断続的に供給されることによって、シャーシウェブ１０２へのタブの要求される分配配置が得られる。
【００８１】
言い換えれば、以下により詳細に説明する通り、ウェブ１０３，１０４は、一度に一方がドラム２に供給される。
【００８２】
第一緩衝装置２０および第二緩衝装置２１は、供給位置と収容位置との間で移動可能である。供給位置おいては、第一ウェブ１０３および第二ウェブ１０４が形成・定間隔配置ドラム２に供給される。収容位置においては、形成・定間隔配置ドラム２への供給を中断するよう、第一ウェブ１０３および第二ウェブ１０４が第一緩衝装置２０および第二緩衝装置２１にそれぞれ収容される。
【００８３】
第一緩衝装置２０または第二緩衝装置２１がこれらの位置のうちの一方にある場合に他方の緩衝装置２０，２１はそれとは逆の位置にあるよう、第一緩衝装置２０および第二緩衝装置２１は、供給位置と収容位置との間で一方から他方、他方から一方へと交互に移動する。
【００８４】
切断動作の結果としてウェブ１０３，１０４がドラム２からスリップすることを防止するために、切断手段の上流側に装着されるとともに、第一ウェブ１０３および第二ウェブ１０４が切断手段に供給される通路を形成するようドラム２の外側面に対向する、第一ウェブ１０３および第二ウェブ１０４を保持するための保持システムを、ユニット１は備える。
【００８５】
形成・定間隔配置ドラム２の回転中に、第一ウェブ１０３および第二ウェブ１０４を、第一ウェブ１０３および第二ウェブ１０４が対応するそれぞれの受動部９，１０上にあって切断手段に位置している場合に、交互に保持するよう、保持システムは形成・定間隔配置ドラム２に機能的に接続される。
【００８６】
より具体的には、交互に保持すべき第一ウェブ１０３および第二ウェブ１０４に対応するキャリア４，５の受動部が切断手段の上流側および切断手段に位置している場合に、保持システム２２，２３が形成・定間隔配置ドラム２と同期して、第一ウェブ１０３および第二ウェブ１０４を交互に保持し、対応するそれぞれの第一緩衝装置２０または第二緩衝装置２１は供給位置と収容位置との間で移動する。
【００８７】
図示の実施形態において、ユニット１は、ドラム２上にウェブ１０３を保持するための第一保持システム２２と、ドラム２上にウェブ１０４を保持するための第二保持システム２３と、を備える。第一保持システム２２および第二保持システム２３の両方は、図面においてブロックとして概略的に示す。
【００８８】
保持システム２２，２３は、ドラム２上にウェブ１０３，１０４を保持するために、供給方向Ｖ２において切断装置１２の上流側で動作する。
【００８９】
一の実施形態において、保持システム２２は、ウェブ１０３が移動自在でありキャリア４の吸引部７によって切断装置１２に向かって供給される第一動作位置例えば上昇位置と、ウェブ１０３がドラム２上に保持される第二動作位置例えば降下位置と、の間で移動可能である。
【００９０】
より具体的には、ウェブ１０３が緩衝システム２０によって保持されたままである場合、つまり切断装置１２に供給されない場合、第二キャリア５の第二非吸引部１０上にウェブ１０３を保持するよう、保持システム２２はドラム２と同期する。
【００９１】
一の実施形態において、保持システム２３は、ウェブ１０４が移動自在でありキャリア５の吸引部８によって切断装置１２に向かって供給される第一動作位置例えば上昇位置と、ウェブ１０４がドラム２上に保持される第二動作位置例えば降下位置と、の間で移動可能である。
【００９２】
より具体的には、ウェブ１０４が緩衝システム２１によって保持されたままである場合、つまり切断装置１２に供給されない場合、第一キャリア４の非吸引部９上にウェブ１０４を保持するよう、保持システム２３はドラム２と同期する。
【００９３】
使用時には、図１の構成から、ウェブ１０３は、切断装置１２の直ぐ上流側にあるバキュームパッド４の吸引部７によって、切断装置１２に供給される。
【００９４】
ウェブ１０３は前方に移動自在である、すなわち、保持システム２２は第一動作位置にあり、緩衝システム２０には供給が行われていない。
【００９５】
同時に、ウェブ１０４は静止しており、すなわち、緩衝システム２１内に入っていき、そしてウェブ１０４は、ドラム２上の保持システム２３によって、特に切断装置１２の直ぐ上流側のバキュームパッド４の非吸引部９上に、すなわちウェブ１０３を供給するバキュームパッド４の非吸引部９上に保持されている。
【００９６】
なお、実際には、上に非吸引部９を有するドラム２は、静止しているウェブ１０４の下で摺動することを記載しておく。
【００９７】
図２を参照して、ウェブ１０３は切断装置１２にほとんど達しており（ウェブ１０４はまだ静止した状態である）、そこで、第一タブ１００を構成するピース１００が切断されて、対応するバキュームパッド４によってドラム２上で定位置に保持される。バキュームパッド４は、ピース１００がシャーシウェブ１０２に貼り付けられるまで、ピース１００を供給する。
【００９８】
図３を参照して、ピース１００を切り離した直後に、保持システム２２は第二動作位置に移動し、ドラム２上のウェブ１０３を、切断装置１２の直ぐ上流側にあるバキュームパッド５の非吸引部１０上に停止させる。
【００９９】
この状況では、ウェブ１０３も、ドラム２上に静止するよう、緩衝システム２０に供給される。
【０１００】
同時に、保持システム２３はウェブ１０４を解放するよう第一動作構成へと移動し、緩衝システム２１へのウェブ１０４の供給を停止する、すなわち、例えば、ローラ２１ａが再び上昇して、ウェブ１０４がドラム２に供給される。
【０１０１】
ウェブ１０４は、切断装置１２の直ぐ上流側にあるキャリア５の吸引部８によってドラム２上に保持され、そこから切断装置１２に向かって供給される。
【０１０２】
吸引部８によってウェブ１０４を供給するキャリア５は、その前にウェブ１０３をその上に停止させた同じキャリアである。
【０１０３】
図４を参照して、ウェブ１０４は切断装置１２に供給され、そこで、対応するタブを構成するピース１０１がウェブ１０４自体から切断され、シャーシウェブ１０２に貼り付けられるまで供給される。
【０１０４】
ユニット１が図１に示す構成にほぼ対応する構成に戻るまで、ウェブ１０３は、静止したままであり、保持システム２２によってドラム２上に保持された状態にある。
【０１０５】
実際には、ウェブ１０３，１０４によって構成される材料の二つの連続的なストリップは、シャーシウェブ１０２のそれぞれの側部に適当な数量のタブ１００，１０１を交互に供給するよう断続的な供給運動で、添付図面で見て、左側から右側へとアンビル１１と刃１３，１４との間に供給される。
【０１０６】
好ましくは、貼り付けドラム２の軸方向面（ａｘｉａｌ  ｐｌａｎｅ）は機械軸（ｍａｃｈｉｎｅ  ａｘｉｓ）と呼ばれるものに位置する。そして、ドラム２自体は、好ましくは、製造されるおむつの種々の大きさに対応して横方向にタブが占めうる位置すべてに広がるのに十分な幅で形成される。
【０１０７】
ウェブ１０３，１０４を供給する上述の方法は、シャーシウェブ１０２のそれぞれの側部に対して、二つのアンビル１１毎の一つのタブに対応する長さの材料を供給するのに必要とされる摺動の量を最小限とできる利点がある。
【０１０８】
摺動の量が最小限となるのは、初め、静止している状態にあるウェブ１０３，１０４は、既知の解決法におけるような吸引部上ではなく、非吸引部９，１０上で摺動するからである。
【０１０９】
シャーシウェブ１０２のそれぞれの側部に供給が行われる交互運動に関係する運動の規則は、バキュームパッド４，５とウェブ１０３，１０４の材料との間の摺動を、特に、実際に切断が行われる前にその材料が切断点を越えた位置にある場合でも、可能な限り多く制限するよう、構成される。
【０１１０】
好ましくは、ウェブ１０３，１０４の材料が切断点より前の位置にある場合であっても摺動を制限するために、形状が与えられたベルト（図示せず）は、ローラ１５およびドラム２の回転軸Ｒ１５，Ｒ２を通る面に対して直角である面内にある切断点に向かって、ウェブ１０３，１０４を方向付けるよう、そして、ウェブ１０３，１０４とバキュームパッド４，５との間の接触円弧を最小化するよう、用いられる。
【０１１１】
シャーシウェブ１０２のそれぞれの側部に対してアンビル１１上の連続ウェブ１０３，１０４の二回の通過毎に切断が行われることによって、個々のタブ１００，１０１には、好ましい間隔が予め与えられる利点がある。
【０１１２】
言い換えれば、第一連続ウェブ１０３および第二連続ウェブ１０４がドラム２自体の回転中に連続するアンビル１１上で交互に切断されるよう、貼り付けドラム２と切断装置１２とは同期する。
【０１１３】
キャリア４，５が径方向に上昇することによって、貼り付けドラム２からウェブ１０２へのタブ１００，１０１の移行は、速度を変えることなく行うことができる。
【図１】
2018534986.tif 000003
【図２】
2018534986.tif 000004
【図３】
2018534986.tif 000005
【図４】
2018534986.tif 000006
【図５】
2018534986.tif 000007
【国際調査報告】
2018534986.tif 000008
2018534986.tif 000009